(57)【要約】【課題】  従来のバルブに比べて安価に製造でき、しかも、確実にガスの開閉が行える。【解決手段】  ガス用配管１にこれと連通して設けられた管状ステー２と、ステー２の上端に取り付けられる保持板３と、保持板３に取り付けられる伸縮自在なゴム玉６とを備えている。保持板３は、配管１側に伸びる空気孔３Ａを有し、ゴム玉６は、空気孔３Ａにチャッキ弁７を介して取り付けられている。チャッキ弁７は、ゴム玉６に対して空気の注出入が可能であり、ゴム玉６の膨張による配管１の閉塞によって、管路１内のガス流が遮断され、ゴム玉６の収縮による配管１の開放によって、配管１内のガス流の遮断が解除される。【選択図】  図１
2005127348.tif 000002
【特許請求の範囲】
【請求項１】
管路にこれと連通して設けられた管状ステーと、前記ステーの上端に取り付けられる保持板と、前記保持板に取り付けられる伸縮自在なゴム玉とを備え、前記保持板は、前記管路側に伸びる空気孔を有し、前記ゴム玉は、前記空気孔にチャッキ弁を介して取り付けられ、前記チャッキ弁は、前記ゴム玉に対して空気の注出入が可能であり、前記ゴム玉の膨張による前記管路の閉塞によって、前記管路内のガス流が遮断され、前記ゴム玉の収縮による前記管路の開放によって、前記管路内のガス流の遮断が解除されることを特徴とするガス開閉装置。
【請求項２】
前記管路は、ガス用配管からなっていることを特徴とする、請求項１記載のガス開閉装置。
【請求項３】
前記管路は、継手からなっていることを特徴とする、請求項１記載のガス開閉装置。
【請求項４】
前記ゴム玉の肉厚は、首部の方が本体部より薄肉に形成されていることを特徴とする、請求項１から３の何れか１つに記載のガス開閉装置。
【発明の詳細な説明】
【技術分野】
【０００１】
この発明は、安価でしかも確実にガスの開閉を行うことができるガス開閉装置に関するものである。
【背景技術】
【０００２】
ガス工事の際、その他、必要に応じてガスを遮断するには、バルブが一般的に使用されている。このバルブは、バルブ本体、バルブシート、閉子、開閉操作用軸等から構成され、数千回の開閉にも耐えられる堅牢な構造になっている。従って、高価である。
【０００３】
このようなバルブは、ガスメーターの入口に設置されるが、地中のガス供給管には、コストの関係で、特別の場合を除いて設置しないのが通例である。しかしながら、建物の火災等の緊急時や建て替え時の便宜のためには、地中のガス供給管にバルブを設置するのが望ましい。
【発明の開示】
【発明が解決しようとする課題】
【０００４】
ところが、従来の上記バルブに代えて安価なガス開閉装置の開発が望まれているが、係る装置は未だ提案されていない。
【０００５】
従って、この発明の目的は、安価でしかも確実にガスの開閉を行うことができるガス開閉装置を提供することにある。
【課題を解決するための手段】
【０００６】
この発明は、上述の目的を達成するためになされたものであり、下記を特徴とする。
請求項１記載の発明は、管路にこれと連通して設けられた管状ステーと、前記ステーの上端に取り付けられる保持板と、前記保持板に取り付けられる伸縮自在なゴム玉とを備え、前記保持板は、前記管路側に伸びる空気孔を有し、前記ゴム玉は、前記空気孔にチャッキ弁を介して取り付けられ、前記チャッキ弁は、前記ゴム玉に対して空気の注出入が可能であり、前記ゴム玉の膨張による前記管路の閉塞によって、前記管路内のガス流が遮断され、前記ゴム玉の収縮による前記管路の開放によって、前記管路内のガス流の遮断が解除されることに特徴を有するものである。
【０００７】
請求項２記載の発明は、請求項１記載の発明において、管路は、ガス用配管からなっていることに特徴を有するものである。
【０００８】
請求項３記載の発明は、請求項１記載の発明において、管路は、継手からなっていることに特徴を有するものである。
【０００９】
請求項４記載の発明は、請求項１から３の何れか１つに記載の発明において、ゴム玉の肉厚は、首部の方が本体部より薄肉に形成されていることに特徴を有するものである。
【発明の効果】
【００１０】
この発明によれば、従来のバルブに比べて安価に製造でき、しかも、確実にガスの開閉が行える。従って、コストの問題でバルブが設置できない供給管にも設置でき、建物の火災等の緊急時や建て替え時に有効に使用できる。
【発明を実施するための最良の形態】
【００１１】
次に、この発明のガス開閉装置の一実施態様を、図面を参照しながら説明する。
【００１２】
図１は、ガス用配管に適用した、この発明のガス開閉装置を示す断面図、図２は、空気ポンプを示す概略正面図である。
【００１３】
図１において、１は、管路としての樹脂製ガス用配管であり、上部に開口部１Ａが設けられている。開口部１Ａは、配管１の一部を上方に突出して成形することにより設けられている。２は、ガス用配管１の開口部１Ａに熱融着された樹脂製円筒状ステー、３は、ステー２の上端に取り付けられた円板状保持板である。保持板３の中央部には、配管１側に伸びる空気孔３Ａが形成されている。保持板３とステー２とは、後述するゴム玉が膨張したときの持ち上げ力によって、保持板３がステー２から外れないように、嵌め合いにより強固に固定されている。４は、保持板３の空気孔３Ａをカバーするキャップであり、Ｏリング５を介してステー２にねじ込まれる。
【００１４】
６は、保持板３の空気孔３Ａにチャッキ弁７を介してバンド８により取り付けられたゴム玉である。チャッキ弁７は、自動車用タイヤやバレーボール等のスポーツ球に採用されているものである。ゴム玉６の肉厚は、首部６Ａの方が本体部６Ｂより薄肉に形成されている。これは、ゴム玉６に空気を注入して膨張させるときに、首部６Ａの方を先に膨張させて、本体部６Ｂを配管１内に自重により下降させ、その後に本体部６Ｂを膨張させることによって、膨張したゴム玉６により開口部１Ａ部分の配管１の通路全体を閉塞し、これによって、配管１内のガス流を確実に遮断するためである。チャッキ弁７は、保持板３の空気孔３Ａからの空気のみを通すので、ゴム玉６内に注入された空気が外部に漏れる恐れはない。ゴム玉６内からの空気の排出は、チャッキ弁７に後述する空気ポンプの空気導入管を強制的に挿入することによって行われる。
【００１５】
ゴム玉６内への空気の注入およびゴム玉６内からの空気の排出は、図２に示すような空気ポンプ９によって行われる。この空気ポンプ９は、チャッキ弁２９を内蔵したゴム製のポンプ本体１０とポンプ本体１０の先端に抜き差し自在に接続された空気導入管１１と空気導入管１１の外側に嵌め込まれたゴム製ストッパ１２とから構成されている。
【００１６】
上述した空気ポンプ９によってゴム玉６内に空気を注入するには、空気導入管１１をチャッキ弁７に差し込んでポンプ本体１０を手で繰り返し圧縮する。一方、ゴム玉６内の空気を排出するには、空気導入管１１をポンプ本体１０から抜き取り、チャッキ弁７に差し込めば良い。
【００１７】
以上のように構成されている、この発明のガス開閉装置によれば、以下のようにして、配管１内のガス流が開閉される。
【００１８】
先ず、キャップ４を外し、空気ポンプ９のストッパ１２を保持板３の空気孔３Ａ内に嵌め込んで、空気導入管１１をチャッキ弁７に差し込む。次いで、ポンプ本体１０を手で繰り返し圧縮すれば、ゴム玉６が図１中二点鎖線で示すように膨張する。ゴム玉６は、その首部６Ａが先に膨張し、本体部６Ｂがその自重により配管１内に下降してから、本体部６Ｂが膨張する。従って、開口部１Ａ部分の配管１の通路全体が膨張したゴム玉６によって閉鎖されるので、配管１内のガス流は、確実に遮断される。
【００１９】
一方、配管１内のガス流の遮断を解除するには、空気ポンプ９の空気導入管１１をポンプ本体１０から抜き取り、チャッキ弁７に差し込む。これによって、ゴム玉６内の空気は、ゴム玉６の収縮に伴ってゴム玉６外に排出されるので、配管１内のガス流の遮断が容易に解除される。
【００２０】
次に、この発明のガス開閉装置をガス管の継手に適用した場合を、図面を参照しながら説明する。
【００２１】
図３は、ガス管の金属製メカニカル継手に適用した、この発明のガス開閉装置を示す断面図である。
【００２２】
図３において、１３は、管路としての金属製継手本体、１４は、継手本体１３の上部に継手本体１３と連通して一体形成された円筒状ステー、１５は、ステー１４の上端に固定された円板状保持板である。保持板１５の中央部には、継手本体１３側に伸びる空気孔１５Ａが形成されている。保持板１５とステー１４とは、後述するゴム玉が膨張したときの持ち上げ力によって、保持板１５がステー１４から外れないように強固に固定されている。１６は、保持板１５の空気孔１５Ａをカバーするキャップであり、Ｏリング１７を介してステー１４にねじ込まれる。
【００２３】
１８は、保持板１５の空気孔１５Ａにチャッキ弁１９（図１のチャッキ弁と同様のものである。）を介してバンド２０により取り付けられたゴム玉である。ゴム玉１８の肉厚は、首部１８Ａの方が本体部１８Ｂより薄肉に形成されている。これは、ゴム玉１８に空気を注入して膨張させるときに、首部１８Ａの方を先に膨張させて、本体部１８Ｂを継手本体１３内に自重により下降させ、その後に本体部１８Ｂを膨張させることによって、膨張したゴム玉１８によりステー１４部分の継手本体１３を閉塞し、これによって、継手本体１３内のガス流を確実に遮断するためである。チャッキ弁１９は、保持板１５の空気孔１５Ａからの空気のみを通す。従って、ゴム玉１８内に注入された空気が外部に漏れる恐れはない。ゴム玉１８内からの空気の排出は、チャッキ弁１９に上述の空気ポンプ９の空気導入管１１を強制的に挿入することによって行われる。
【００２４】
継手本体１３の一端には、リテーナ２１により補強された樹脂管２２がパッキン２３、バックアップリング２４、ロックリング２５を介してナット２６により接続される。継手本体１３の他端には、リテーナ２７により補強された樹脂管２８が接続される。
【００２５】
以上のように構成されている、この発明のガス開閉装置によれば、以下のようにして、継手内のガス流が開閉される。
【００２６】
先ず、キャップ１６を外し、空気ポンプ９のストッパ１２を保持板１５の空気孔１５Ａ内に嵌め込んで、空気導入管１１をチャッキ弁１９に差し込む。次いで、ポンプ本体１０を手で繰り返し圧縮すれば、ゴム玉１８が図３中二点鎖線で示すように膨張する。ゴム玉１８は、その首部１８Ａが先に膨張し、本体部１８Ｂがその自重により継手本体１３内に下降してから、本体部１８Ｂが膨張する。従って、ステー１４部分の継手本体１３の通路全体が膨張したゴム玉１８によって閉鎖されるので、継手内のガス流は、確実に遮断される。
【００２７】
一方、継手内のガス流の遮断を解除するには、空気ポンプ９の空気導入管１１をポンプ本体１０から抜き取り、チャッキ弁１９に差し込む。これによって、ゴム玉１８内の空気は、ゴム玉１８の収縮に伴ってゴム玉１８外に排出されるので、継手内のガス流の遮断が容易に解除される。
【００２８】
以上のように、この発明のガス開閉装置は、複雑な構造を有していないので、その製造コストが従来のバルブに比べて安価で済み、しかも、容易且つ確実に管路内のガス流を開閉することができる。従って、コストの問題で設置できない供給管にも設置でき、建物の火災等の緊急時や建て替え時に有効に使用できる。
【図面の簡単な説明】
【００２９】
【図１】ガス用配管に適用した、この発明のガス開閉装置を示す断面図である。
【図２】空気ポンプを示す概略正面図である。
【図３】ガス管の金属製メカニカル継手に適用した、この発明のガス開閉装置を示す断面図である。
【符号の説明】
【００３０】
１：ガス用配管
１Ａ：開口部
２：ステー
３：保持板
３Ａ：空気孔
４：キャップ
５：Ｏリング
６：ゴム玉
６Ａ：首部
６Ｂ：本体部
７：チャッキ弁
８：バンド
９：空気ポンプ
１０：ポンプ本体
１１：空気導入管
１２：ストッパ
１３：継手本体
１４：ステー
１５：保持板
１５Ａ：空気孔
１６：キャップ
１７：Ｏリング
１８：ゴム玉
１８Ａ：首部
１８Ｂ：本体部
１９：チャッキ弁
２０：バンド
２１：リテーナ
２２：樹脂管
２３：パッキン
２４：バックアップリング
２５：ロックリング
２６：ナット
２７：リテーナ
２８：樹脂管
２９：チャッキ弁
【図１】
2005127348.tif 000003
【図２】
2005127348.tif 000004
【図３】
2005127348.tif 000005